(57)【要約】【課題】本発明は、病院および医療・介護施設における、非接触で読み取りまたは書き込み可能な情報記録媒体と、非接触で書き込みまたは読み込みができるリーダライタとを使用した情報管理システムにより、母子などの照合を容易で確実に行う。【解決手段】情報管理システムは、腕や足等の身体の一部に取付け可能な輪部と前記輪部に設けられ非接触で情報の読み取りや書き込みが可能な情報記録媒体とを有する第１および第２の情報管理用輪と、非接触で前記情報記録媒体の情報の書き込みや読み取りを行うリーダライタと、前記リーダライタが読み取った結果に基づいて第１の情報管理用輪に設けられた情報記録媒体に記録されている情報と第２の情報管理用輪に設けられた情報記録媒体に記録されている情報とを照合する情報照合部とからなる。【選択図】  図２
2004287753.tif 000002
【特許請求の範囲】
【請求項１】
腕や足等の身体の一部に取り付け可能な取付部と前記取付部に設けられ非接触で情報の読み取りや書き込みが可能な情報記録媒体とを有する情報管理媒体と、非接触で前記情報記録媒体の情報の書き込みや読み取りを行うリーダライタとからなる情報管理システム。
【請求項２】
腕や足等の身体の一部に取り付け可能な取付部と前記取付部に設けられ非接触で情報の読み取りや書き込みが可能な情報記録媒体とを有する第１および第２の情報管理媒体と、非接触で前記情報記録媒体の情報の書き込みや読み取りを行うリーダライタと、前記リーダライタが読み取った結果に基づいて第１の情報管理媒体に設けられた情報記録媒体に記録されている情報と第２の情報管理媒体に設けられた情報記録媒体に記録されている情報とを照合する情報照合部とからなる情報管理システム。
【請求項３】
第１の情報管理媒体を新生児に取り付け、第２の情報管理輪を母親に取り付けた請求項２記載の情報管理システム。
【請求項４】
第１の情報管理媒体の情報記録媒体および／または第２の情報管理媒体の情報記録媒体に母子の情報を書き込むことで、第１の情報管理媒体および／または第２の情報管理媒体を、母子手帳のような母子情報を管理する媒体として使用可能な請求項３記載の情報管理システム。
【発明の詳細な説明】
【０００１】
【発明の属する技術分野】
本発明は、病院及び医療・介護施設等における、非接触で読取書込可能な情報記録媒体を設けた情報管理媒体を用いた情報管理システムに関するものである。
【０００２】
【従来の技術】
従来、病院等における新生児の管理は、新生児の腕や足等に母親の名前等をマジックインキ等で記載すること等が行われていた。
【０００３】
また、病院及び医療・介護施設における医療行為を管理するシステムとして、検知用タグを取り付けたベビー肌着、名札、タオル、ベビーキャップ又はおむつなどの検知用新生児用品と、検知用新生児用品が近づいたことを検知する検知用ゲートや警報器により構成されたものが知られている（例えば特許文献１参照）。
【０００４】
このシステムは、病院の新生児室に滞在する新生児に、検知用タグを取り付けたベビー肌着、名札、タオル、ベビーキャップまたはおむつ等の検知用新生児用品を着用させ、新生児室の出入口または病院の新生児室とナースステーションを含む新生児用区域の出入口に検知用新生児用品が近づいたことを検知する検知用ゲートを設け、検知用新生児用品を身に付けた新生児が検知用ゲートを付けた出入口に近づくと検知用ゲートがゲートの開放を禁止する、または、検知用ゲートの検出結果に基づいてナースステーションに設けられた警報器を作動するようにしたものである。
【０００５】
【特許文献１】
実用新案登録第３０８１７７４号公報
【０００６】
【発明が解決しようとする課題】
しかしながら、上記従来の構成では、医師や看護婦あるいは助産婦などの間違い、記載ミスなどにより新生児の取り違え等が発生する可能性があった。
【０００７】
また、上記従来のシステムは、単に検知用新生児用品を着用している新生児があるエリアに近づいたときにそのことを知らせるシステムであり、新生児とその母親との照合を行うものではなく、医師や看護婦あるいは助産婦などの間違い、記載ミスなどにより新生児の取り違え等を発生する可能性があった。
【０００８】
本発明は、上記従来の課題に鑑み、新生児とその母親との照合等を容易でかつ確実に行うことができるシステムを提供することを目的とする。
【０００９】
【課題を解決するための手段】
上記課題を解決するために、本発明の第１の情報管理システムは、腕や足等の身体の一部に取り付け可能な輪部と前記輪部に設けられ非接触で情報の読み取りや書き込みが可能な情報記録媒体とを有する情報管理媒体と、非接触で前記情報記録媒体の情報の書き込みや読み取りを行うリーダライタとからなるものである。
【００１０】
上記構成によれば、非接触で情報の読み取りや書き込みが可能な情報記録媒体を設けた情報管理媒体を病院の患者等に付与し、前記情報記録媒体に前記患者の情報を書き込み、また、前記情報記録媒体から前記患者の情報を読み込むことにより、医師や看護婦などのミスなどが起こり難く、患者の情報管理を容易にかつ確実に行うことができる。
【００１１】
また、本発明の第２の情報管理システムは、腕や足等の身体の一部に取付け可能な輪部と前記輪部に設けられ非接触で情報の読み取りや書き込みが可能な情報記録媒体とを有する第１および第２の情報管理媒体と、非接触で前記情報記録媒体の情報の書き込みや読み取りを行うリーダライタと、前記リーダライタが読み取った結果に基づいて第１の情報管理媒体に設けられた情報記録媒体に記録されている情報と第２の情報管理媒体に設けられた情報記録媒体に記録されている情報とを照合する情報照合部とからなるものである。
【００１２】
上記構成によれば、ある患者に第１の情報管理媒体を取り付け、この第１の情報管理媒体に設けられた情報記録媒体にこの患者の情報を書き込み、また、他の患者に第２の情報管理媒体を取り付け、この第２の情報管理媒体に設けられた情報記録媒体にこの患者の情報を書き込むことにより、互いの患者の情報を情報照合部で照合することが可能となる。
【００１３】
また、本発明の第３の情報管理システムは、上記第２の情報管理システムにおいて、第１の情報管理媒体を新生児に取り付け、第２の情報管理輪を母親に取り付けたものである。
【００１４】
上記構成によれば、新生児とその新生児の母親との情報を照合することができ、取り違い等のミスを防ぐことができる。
【００１５】
また、本発明の第４の情報管理システムは、上記第３の情報管理システムにおいて、第１の情報管理媒体の情報記録媒体および／または第２の情報管理媒体の情報記録媒体に母子の情報を書き込むことで、第１の情報管理媒体および／または第２の情報管理媒体を、母子手帳のような母子情報を管理する媒体として使用可能なものである。
【００１６】
上記構成によれば、第１の情報管理媒体の情報記録媒体および／または第２の情報管理媒体の情報記録媒体に記録されている情報に加えて、新たにその新生児および／またはその母親に関する情報を書き加えていくことができ、第１の情報管理媒体および／または第２の情報管理媒体を母子手帳のような母子を管理する媒体として使用することができる。
【００１７】
【発明の実施の形態】
以下、本発明の実施の形態について、図面を参照しながら説明する。
【００１８】
（実施の形態１）
本発明の実施の形態１について、図１と図２を用いて説明する。
【００１９】
図１は、本発明の実施の形態における情報管理媒体の一例である情報管理用輪を示す概略図である。
【００２０】
図１の情報管理用輪は、腕や足等の身体の一部に取り付けられる輪部１と、この輪部１に設けられ、非接触で情報の読み取りや書き込みが可能な情報記録媒体２と、前記輪部１に設けられ腕や足等のサイズに応じて取り付けるサイズを調整可能な調整バンド３とからなる。なお、この調整バンド３は、例えばマジックテープ（登録商標）のようなものである。そして、このような調整バンド３を設けることで、情報管理用輪を腕や足等のサイズに関わらず容易に取り付けることができる。
【００２１】
また、情報記録媒体２の例としては、ＲＦＩＤタグや非接触ＩＣカード等が挙げられる。
【００２２】
図２は、情報管理システムの概略構成を示す図である。この情報管理システムは、輪部９に設けられた情報記録媒体１０および調整バンド１１からなる第１の情報管理用輪８と、輪部１３に設けられた情報記録媒体１４および調整バンド１５からなる第２の情報管理用輪１２と、非接触で情報記録媒体１０および１４の情報の書き込みや読み取りを行うリーダライタ４と、このリーダライタ４が読み取った結果に基づいて、第１の情報管理用輪８に設けられた情報記録媒体１０に記録されている情報と第２の情報管理用輪１２に設けられた情報記録媒体１４に記録されている情報とを照合する情報照合部５からなる。そして、リーダライタ４は、読み取った情報を情報照合部５に伝達するための赤外線通信部２９を備えている。また、情報照合部５は、照合結果等を表示するための表示部６を備え、リーダライタ４から情報を受け取るための赤外線通信アダプタ７が接続されている。
【００２３】
ここで、情報記録媒体２の例としては、ＲＦＩＤタグや非接触ＩＣカード等が挙げられ、リーダライタ４の例としては、ＲＦＩＤタグリーダライタや非接触ＩＣカードリーダライタ等が挙げられる。また、情報照合部５の例としては、パーソナルコンピュータ等が挙げられる。
【００２４】
次に、このシステムの一例として、新生児に第１の情報管理用輪８を取り付け、その母親に第２の情報管理用輪１２を取り付けて管理するシステムについて説明する。
【００２５】
新生児に取り付けられている第１の情報管理用輪８の情報記録媒体１０には、この新生児に関する情報と、その母親に関する情報と、第２の情報管理用輪１２と照合するための照合情報を書き込む。また、この新生児の母親に取り付けられている第２の情報管理用輪１２の情報記録媒体１４にも、この母親に関する情報と、その新生児に関する情報と、第１の情報管理用輪８と照合するための照合情報を書き込む。ここで、情報記録媒体１０に書き込まれる照合情報と情報記録媒体１４に書き込まれる照合情報とは同一のものである。なお、この照合情報は、英数字などの記号の組み合わせにより実現することができる。
【００２６】
次に、第１の情報管理用輪８と第２の情報管理用輪１２とを照合する手順について説明する。
【００２７】
先ず、第１の情報管理用輪８の情報記録媒体１０に記憶されている照合情報と、第２の情報管理用輪１２の情報記録媒体１４に記憶されている照合情報をリーダライタ４により読み取る。次に、リーダライタ４で読み取った照合情報を、リーダライタ４に設けられている赤外線通信部２９から、情報照合部５に接続されている赤外線通信アダプタ７を介して情報照合部５に送信する。情報照合部５はカードリーダライタ４から送られてきた照合情報が一致するか否かを照合する。そして、この照合結果を表示部６に表示する。
【００２８】
以上のように、第１の情報管理用輪８を新生児に取り付け、第２の情報管理用輪１２をその母親に取り付けておくことにより、この新生児とその母親が退院する場合等において、新生児とその母親の照合を容易かつ確実に行うことができ、新生児の取り間違い等を防止することができる。
【００２９】
なお、本実施の形態では、情報記録媒体１０に書き込まれる照合情報と情報記録媒体１４とに書き込まれている同一の照合情報を用いて照合を行う例を示したが、新生児に取り付けられている第１の情報管理用輪８の情報記録媒体１０に新生児の名前情報を格納しておき、母親に取り付けられている第２の情報管理用輪１２の情報記録媒体１４に母親の名前情報を格納しておき、これら名前情報をリーダライタ４で読み取って情報照合部５に送信し、この情報照合部５の表示部６に各々の名前情報を表示させることで、新生児と母親との確認を行うようにしてもよい。
【００３０】
また、リーダライタ４と情報照合部５との通信として赤外線通信を用いる例を示したが、通信はこれに限られるものではなく、通信ケーブル等で行うようにしても良い。
【００３１】
（実施の形態２）
本実施の形態において、実施の形態１と同様の箇所には同一の符号を付して詳細な説明を省略する。
【００３２】
本発明の実施の形態について、図３を用いて説明する。２０は情報管理部５に接続されている情報入力部であり、一例としては、キーボード等が挙げられる。この情報入力部２０は文字や数値等の情報を入力可能な機器であり、情報管理部５への情報の追加や情報管理部５内の情報の編集などを行うものである。
【００３３】
実施の形態１と異なるのは、情報管理部５に情報入力部２０を接続し、この情報入力部２０により情報管理部５への情報の追加や情報管理部５内の情報の編集を行い、この情報管理部５の情報をリーダライタ４に送信し、この情報をリーダライタ４により第１の情報管理用輪８の情報記録媒体１０および／または第２の管理用輪１２の情報記録媒体１４に書き込むようにした点である。
【００３４】
上記構成による情報管理システムについて説明する。ある新生児に第１の情報管理用輪８を取り付け、その母親に第２の情報管理用輪１２を取り付けておく。そして、この新生児あるいはその母親に関する新たな情報を、情報入力部２０を用いて情報管理部５に入力する。そして、情報管理部５に取り付けられている赤外線通信アダプタ７およびリーダライタ４に設けられている赤外線通信部２９を介して、情報管理部５内の情報をリーダライタ４に送信する。さらに、この情報を、リーダライタ４により母親に取り付けている第２の情報管理用輪１２に設けられている情報記録媒体１４に書き込む。
【００３５】
以上により、母親に取り付けられている第２の情報管理用輪１２を、母子手帳のような母子の情報を管理する媒体として使用することができる。また、この内容を確認する場合は、リーダライタ４により母親に取り付けている第２の情報管理用輪１２に設けられている情報記録媒体１４の内容を読み取り、この情報を情報管理部５に送信して情報管理部５に設けられている表示部６に表示することで内容を確認することができる。
【００３６】
なお、リーダライタ４に表示部３１を設けておけば、情報管理部５に送ることなく、リーダライタ４で第２の情報管理用輪１２の内容を確認することができる。
【００３７】
また、本実施の形態では、情報管理部５に入力されている情報をリーダライタに４に送信して第２の情報管理用輪１２に書き込む例を示したが、リーダライタ４で第２の情報管理用輪１２の情報を読み取って情報管理部５に送信し、この情報を情報入力部２０を用いて編集し、この編集された情報を情報管理部５からリーダライタ４に送信し、リーダライタ４により第２の情報管理用輪１２に書き込むようにしてもよい。
【００３８】
また、本実施の形態では、母親に取り付けられている第２の情報管理用輪１２に母子の情報を書き込む例を示したが、新生児に取り付けた第１の情報管理用輪８に書き込むようにしても良い。
【００３９】
【発明の効果】
以上の説明から明らかなように、本発明の情報管理システムによれば、新生児とその母親の照合を簡単で確実に行うことができる。
【００４０】
また、新生児とその新生児の母親に取り付けた情報管理用輪に、この新生児や母親の情報を書き加えていくことにより、情報管理用輪を母子手帳のような管理媒体として使用することができる。
【図面の簡単な説明】
【図１】本発明の実施の形態１における情報管理用輪の概略図
【図２】本発明の実施の形態１における情報管理システムの概略図
【図３】本発明の実施の形態２における情報管理システムの概略図
【符号の説明】
１  輪部
２  情報記録媒体
３  調整バンド
４  リーダライタ
５  情報照合部
６  表示部
７  赤外線通信アダプタ
８  第１の情報管理用輪
９  輪部
１０  情報記録媒体
１１  調整バンド
１２  第２の情報管理用輪
１３  輪部
１４  情報記録媒体
１５  調整バンド
１６  リーダライタ
２０  情報入力部
２９  赤外線通信部
３１  表示部
【図１】
2004287753.tif 000003
【図２】
2004287753.tif 000004
【図３】
2004287753.tif 000005